(57)【要約】      （修正有）【課題】フォトフレームのように立てた状態に飾られる額のバックボードに、額から飛び出すように３Ｄモデルを固定することにより、躍動感あふれる構図でどこにでも飾ることができるようにする。【解決手段】立てた状態に飾られる額ＦのバックボードＢに固定される額装用３Ｄモデル１は、背面２ａがバックボードＢに当接される平面４でカットされると共に、当該背面２ａにフック係合凹部５が形成された額装用３Ｄモデル本体と、前記係合凹部５に挿入固定された状態でバックボードＢに取付固定されるフック３とからなり、フック係合凹部５の凹面形状とフック３の外周形状は、少なくともその上面で互いに当接されるように形成され、額装された状態で前記上面を斜め上方に向かう傾斜面１０で形成した。【選択図】図１
2016030056.tif 000002
【特許請求の範囲】
【請求項１】
立てた状態に飾られる額のバックボードに固定される額装用３Ｄモデルであって、
背面が前記バックボードに当接される平面でカットされると共に、当該背面にフック係合凹部が形成された額装用３Ｄモデル本体と、前記係合凹部に挿入固定された状態でバックボードに取付固定されるフックとからなり、
前記フック係合凹部の凹面形状と、前記フックの外部凸面形状は、少なくともその上面で互いに当接されるように形成されると共に、額装された状態で前記上面が斜め上方に向かう傾斜面で形成されたことを特徴とする額装用３Ｄモデル。
【請求項２】
前記バックボードに形成されたピンホールに挿通される取付ワイヤの両端が、前記フックの背面から突出されて成る請求項１記載の額装用３Ｄモデル。
【請求項３】
背面が額のバックボードに当接される平面でカットされると共に当該背面にフック係合凹部が形成された額装用３Ｄモデル本体を、バックボードに固定するための額装用フックであって、
前記係合凹部に挿入された状態で、前記フック係合凹部と少なくともその上面で互いに当接されるように形成されると共に、額装された状態で前記上面が斜め上方に向かう傾斜面で形成されたことを特徴とする額装用フック。
【請求項４】
前記バックボードに形成されたピンホールに挿通される取付ワイヤの両端が、前記フックの背面から突出されて成る請求項３記載の額装用フック。
【請求項５】
立てた状態に飾られる額のバックボードに３Ｄモデルを固定する３Ｄモデルの額装方法であって、
前記３Ｄモデルは、
背面が前記バックボードに当接される平面でカットされると共に当該平面にフック係合凹部が形成された額装用３Ｄモデル本体と、前記係合凹部に挿入固定されるフックとからなり、
前記フック係合凹部の凹面形状と、前記フックの外部凸面形状を、少なくともその上面で互いに当接されるように形成すると共に、額装された状態で前記上面を斜め上方に向かう傾斜面で形成し、
前記フックを係合凹部に挿入固定した状態で、当該フックをバックボードに対して取り付けることを特徴とする３Ｄモデルの額装方法。
【請求項６】
前記フックの背面から取付ワイヤの両端を突出させておき、当該取付ワイヤの両端を前記バックボードに形成されたピンホールに挿通させることにより、フックを介して３Ｄモデルをバックボードに取り付ける請求項５記載の３Ｄモデルの額装方法。
【請求項７】
背面が、額のバックボードに当接される平面にカットされると共に、当該平面にバックボード固定用のフック係合凹部が形成された額装用３Ｄモデル本体の３Ｄデータ生成プログラムであって、
予め記憶された元データとなる３Ｄ初期データを読み出す３Ｄ初期データ読出手段と、
３Ｄ初期データを拡大、縮小、回転させて、額装ずる構図を決定する３Ｄ構図データ生成手段と、
額装用フックの３Ｄフックデータと、バックボードに対応する３Ｄバックボードデータとを備え、バックボードにフックが取り付けられた状態の３Ｄカットデータを生成する３Ｄカットデータ生成手段と、
前記３Ｄ構図データと３Ｄカットデータを合成して、フックが形成された部分が３Ｄ構図データと重なるように任意の位置に３Ｄカットデータを位置決めする位置決め手段と、
３Ｄカットデータの正面側で、３Ｄ構図データと３Ｄカットデータで閉じられた立体部分を３Ｄトリミングデータとして生成する３Ｄトリミングデータ生成手段と、
を備えたことを特徴とする額装用３Ｄモデル本体の３Ｄデータ生成プログラム。
【発明の詳細な説明】
【技術分野】
【０００１】
本発明は、本発明は、立てた状態に飾られる額のバックボードに固定することのできる額装用３Ｄモデル、これをバックボードに固定するための額装用フック、これらを用いた額装方法及び額装用３Ｄモデルを作成するためのプログラムに関する。
【背景技術】
【０００２】
最近、３Ｄプリンタが工業用の高級機のみならず一般家庭用の普及機まで市販されており、２Ｄ写真を画像処理して得られた３Ｄデータさえあれば、その３Ｄデータに基づいて誰でも３Ｄモデルを作成することができるようになってきている。
【０００３】
この３Ｄプリンタの普及により、家族やペットなどの写真を３Ｄデータに起こして３Ｄプリンタで３Ｄモデルを製造し、これを机や飾り棚などに置いて飾ることが行われており、３Ｄプリンタを持たない家庭の需要に応えるべく、そのような３Ｄモデル製作業者も存在する。
【０００４】
３Ｄモデルの飾り方としては、人物のような立ち姿勢の３Ｄモデルについては一般に倒れにくい台座の上に一体成形して、そのまま置物として飾れるようになっており、航空機の３Ｄモデルについては、特許文献１に記載されているように、水平に保持できる保持具を使用して、水平なベースから浮かした状態に飾るようにしている。
【０００５】
しかしながら、これらはいずれも、平面に置かれることを前提としているため、例えば、３Ｄモデルを壁にかけて飾ることができない。
一般家庭において、壁面はかなり広い面積を有するので、３Ｄモデルをフォトフレームのように飾ることができれば、机や飾り棚だけでなく家庭内のほとんどの場所にどこでも自由に飾ることができる。
【０００６】
一方、例えば、犬のようなペットでは、単に静止して立っている姿勢より、走り寄ってくる姿勢の方が躍動的で面白みがあり、また、人物でも、ただまっすぐ立っているよりも、窓から上半身を乗り出す姿勢や、子供が走っている姿勢などの方が、躍動的で面白く、このような姿勢の３Ｄモデルを飾りたいという要請もある。
【先行技術文献】
【特許文献】
【０００７】
【特許文献１】特開２０１２−０２４５３３号公報
【発明の概要】
【発明が解決しようとする課題】
【０００８】
そこで本発明は、躍動感あふれる３Ｄモデルを作成し、これを、立てた状態に飾られる額のバックボードに簡単確実に固定して、フォトフレームのようにどこにでも飾ることができるようにすることを技術的課題としている。
【課題を解決するための手段】
【０００９】
この課題を解決するために、本発明は、立てた状態に飾られる額のバックボードに固定される額装用３Ｄモデルであって、背面が前記バックボードに当接される平面にカットされると共に当該平面にフック係合凹部が形成された額装用３Ｄモデル本体と、前記係合凹部に挿入固定された状態でバックボードに取付固定されるフックとからなり、前記フック係合凹部の凹面形状と、前記フックの外部凸面形状は、少なくともその上面で互いに当接されるように形成されると共に、額装された状態で前記上面が斜め上方に向かう傾斜面で形成されたことを特徴とする。
【００１０】
また、額装用の前記フックは、背面が額のバックボードに当接される平面にカットされると共に当該平面にフック係合凹部が形成された額装用３Ｄモデル本体を、バックボードに固定するため、前記係合凹部に挿入された状態で、前記フック係合凹部と少なくともその上面で互いに当接されるように形成されると共に、額装された状態で前記上面が斜め上方に向かう傾斜面で形成されたことを特徴とする。
【発明の効果】
【００１１】
本発明の額装用３Ｄモデルは、額装用３Ｄモデル本体とフックに分割形成されている。
額装用３Ｄモデル本体は、額のバックボードに当接される平面で背面がカットされているので、カットする位置及び角度を任意に選択することにより、飾ろうとする３Ｄモデルの構図に応じて額のバックボードから飛び出すように躍動的な姿勢に固定することができる。
【００１２】
また、フックは、額装用３Ｄモデル本体の背面に形成されたフック係合凹部に挿入された状態で少なくともその上面で互いに当接される。
したがって、例えば、フックの背面から二本のワイヤを突出させた状態で、このフックを額装用モデル本体の係合凹部に挿入して接着固定した後、ワイヤを額のバックボードに挿通固定させることにより、額装用３Ｄモデルがバックボードに固定される。
このとき、重力によりバックボードとの間で垂直下向きの剪断力が作用しても、バックボードに固定されたフックが、額装用３Ｄモデル本体の背面に形成されたフック係合凹部に挿入されているので、額装用３Ｄモデルが落下することがない。
【００１３】
また、フックを中心として、額のバックボードから飛び出すように固定された３Ｄモデルが前向きに回転しようとするモーメントが作用しても、フック係合凹部及びこれと当接されるフック上面は、斜め上方に向かう傾斜面で形成されているので、モーメントにより回転しようとする力をその傾斜面で確実に支えることができ、したがって、額装用３Ｄモデルが前向きに回転することもない。
【図面の簡単な説明】
【００１４】
【図１】本発明に係る額装用３Ｄモデルを示す断面図。
【図２】その全体外観図。
【図３】額装用フックを示す外観図。
【図４】額装用３Ｄモデル本体の作成プログラムを示すフローチャート。
【図５】そのプログラムによる３Ｄデータの生成過程を示す説明図。
【図６】額装方法を示す説明図。
【発明を実施するための形態】
【００１５】
本発明は、躍動感あふれる３Ｄモデルを作成することができ、これを、立てた状態に飾られる額のバックボードから飛び出すように簡単確実に固定してどこにでも飾ることができるようにするという目的を達成するため、立てた状態に飾られる額のバックボードに固定される額装用３Ｄモデルとして、その背面が前記バックボードに当接される平面でカットされると共に当該平面にフック係合凹部が形成された額装用３Ｄモデル本体と、前記係合凹部に挿入固定された状態でバックボードに取付固定されるフックとからなり、前記フック係合凹部の凹面形状と、前記フックの外部凸面形状は、少なくともその上面で互いに当接されるように形成されると共に、額装された状態で前記上面を斜め上方に向かう傾斜面に形成した。
【実施例１】
【００１６】
額装用３Ｄモデル１は、図１及び図２に示すように、バックボードＢの周囲に装飾縁Ｓが形成された額Ｆを立てた状態で、そのバックボードＢに固定して飾られるもので、額Ｆから飛び出す構図に形成される額装用３Ｄモデル本体２と、これをバックボードＢに固定するための額装用フック３からなる。
【００１７】
額装用３Ｄモデル本体２は、その背面２ａがバックボードＢに当接される平面４でカットされると共に、当該背面２ａにフック係合凹部５が形成されている。
【００１８】
フック３は、図１及び図３に示すように、その背面３ａがバックボードＢに当接される平面４でカットされ、正面側が額装用３Ｄモデル本体２の係合凹部５に挿入固定された状態で、前記背面３ａをバックボードＢに当接させて取付固定されるようになっている。
フック３には、中央で折り曲げたワイヤ６の両端６ａ、６ｂを正面側から刺し通す上下二つの貫通孔７、７が形成されると共に、その正面側にはワイヤ６の折曲部６ｃを収容する縦溝８が形成されている。
また、額ＦのバックボードＢには、フック３に形成された貫通孔７、７と対応する位置にピンホール９、９が形成され、フック３の正面から刺し通したワイヤ６を刺し通して屈曲させることにより、フック３をバックボードＢに取付固定できるようになっている。
【００１９】
このとき、額装用３Ｄモデル本体２の背面２ａ及びフック３の背面３ａがバックボードＢに隙間なく当接され、額装用３Ｄモデル本体２は額ＦのバックボードＢから飛び出すような躍動感をもった構図となる。
【００２０】
また、フック係合凹部５の凹面と、フック３の外周凸面は、少なくともその上面で（本例では全面で）互いに当接されるように、挿脱可能な同形状の凹凸面で形成され、その上面側は、額装された状態で斜め上方に向かう傾斜面１０で形成されている。
したがって、フック３の背面からワイヤ６の両端６ａ、６ｂを突出させた状態で、このフック３を額装用モデル本体２の係合凹部５に挿入して接着固定した後、ワイヤ６の両端を、額ＦのバックボードＢに形成されたピンホール９、９に挿通して屈曲させることにより、額装用３Ｄモデル１がバックボードＢに固定される。
【００２１】
このとき、重力によりバックボードＢとの間で垂直下向きの剪断力が作用しても、バックボードＢに固定されたフック３が、額装用３Ｄモデル本体２の背面２ａに形成されたフック係合凹部５に挿入されているので、額装用３Ｄモデル１が落下することがない。
【００２２】
また、フック３を中心として、額ＦのバックボードＢから飛び出すように固定された３Ｄモデル１の重心位置は、バックボードＢの平面４より前方にあるので、前向きに回転しようとするモーメントが作用するが、フック係合凹部５及びこれと当接されるフック３の上面は、斜め上方に向かう傾斜面１０で形成されているので、モーメントにより回転しようとする力をその傾斜面１０で確実に支えることができ、したがって、額装用３Ｄモデル１が前向きに回転することもない。
【００２３】
なお、フック３は予め用意されたものを用いる場合に限らず、後述するプログラムで用いられる３Ｄフックデータに基づいて、その都度、３Ｄプリンタで成形する場合であってもよい。
この場合、フック３の大きさを額装用３Ｄモデル本体の大きさに応じて、フック３の大きさを任意に設定することができるというメリットがある。
【実施例２】
【００２４】
次いで、装飾用３Ｄモデル本体２の３Ｄデータの生成手順について、図４及び図５に基づき説明する。
なお、本例では、説明の便宜のため、円柱形の３Ｄデータを用いて額装用３Ｄモデル本体の３Ｄデータを作成する場合について説明する。
【００２５】
額装用３Ｄモデル本体２は、その背面２ａが、額ＦのバックボードＢに当接される平面４でカットされると共に、当該背面２ａにバックボード固定用のフック３を係合させる係合凹部５が形成されたものである。
図４に示すプログラムの処理が実行開始されると、予め写真等の２Ｄイメージ画像その他のデータから生成された３Ｄ初期データＤＴ１がステップＳＴＰ１で読み出される（図５（ａ）参照）。
【００２６】
次いで、ステップＳＴＰ２に移行して、額装しようとする構図に併せて所定の姿勢の３Ｄ構図データＤＴ２を作成する（図５（ｂ）参照）。
ここでは、３Ｄ初期データＤＴ１に対し、必要に応じてステップＳＴＰ２１の拡大処理、ステップＳＴＰ２２の縮小処理、ステップＳＴＰ２３の回転処理を行って、額装する向きなどの構図が決定された３Ｄ構図データＤＴ２をステップＳＴＰ２４で所定の記憶領域に記憶する。
このステップＳＴＰ２の処理が３Ｄ構図データ生成手段である。
【００２７】
次に、ステップＳＴＰ３に移行して、額装用フック３の３ＤフックデータＤＴ３と、バックボードＢに対応する３ＤバックボードデータＤＴ４とを備え、バックボードＢにフック３が取り付けられた状態の３ＤカットデータＤＴ５を生成する（図５（ｂ）参照）。
この場合、例えば、ステップＳＴＰ３１でフック３の種類を選択すると、選択されたフック３の３ＤフックデータＤＴ３が読み出され、ステップＳＴＰ３２でバックボードＢに対応する３ＤバックボードデータＤＴ４が読み出され、ステップＳＴＰ３３で両者が合成されてバックボードＢにフック３が突出形成された３ＤカットデータＤＴ５が生成される。
このステップＳＴＰ３の処理が３Ｄカットデータ生成手段である。
なお、３ＤカットデータＤＴ５は、その都度、３ＤフックデータＤＴ３と、３ＤバックボードデータＤＴ４を合成する場合に限らず、フック３の種類に応じて予め作成された複数種類から選択する場合であってもよい。
【００２８】
ステップＳＴＰ４では、３Ｄ構図データＤＴ２と３ＤカットデータＤＴ５を合成するため、３Ｄ構図データＤＴ２に対する３ＤカットデータＤＴ５の位置決め処理を行う（図５（ｃ）参照）。
このとき、ステップＳＴＰ４１で３Ｄ構図データＤＴ２を読出し、ステップＳＴＰ４２で３ＤカットデータＤＴ５を読み出し、ステップＳＴＰ４３及び４４で双方をディスプレイに表示させた状態で、ステップＳＴＰ４５で３Ｄ構図データＤＴ２に３ＤカットデータＤＴ５が重なるように平行移動させる。
【００２９】
ここで、フック３の３ＤフックデータＤＴ３の部分が３Ｄ構図データＤＴ２と重なるように３ＤカットデータＤＴ５を位置させることにより、３Ｄ額装モデル本体２の背面２ａにフック係合凹部５を形成することができ、また、３ＤカットデータＤＴ５より正面側の部分が、額Ｆから飛び出すように額装される部分に対応し、躍動感のある額装が可能となる。
このステップＳＴＰ４が３ＤカットデータＤＴ５の位置決め手段である。
【００３０】
ステップＳＴＰ５では、額装用３Ｄモデル本体２に対応する３ＤトリミングデータＤＴ６を生成する（図５（ｄ）参照）。
ここでは、ステップＳＴＰ４で位置決めされた３ＤカットデータＤＴ５の正面側で、３Ｄ構図データＤＴ２と３ＤカットデータＤＴ５で閉じられた立体部分が、額装用３Ｄモデル本体２に対応する３ＤトリミングデータＤＴ６として生成される。
このステップＳＴＰ５の処理が３Ｄトリミングデータ生成手段である。
【００３１】
これにより、使用するフック３の形状に応じたフック係合凹部５が背面２ａに形成された額装用３Ｄモデル本体２の３Ｄモデルが生成されるので、必要に応じてこれを３Ｄプリンタに出力することにより、任意の構図の額装用３Ｄモデル本体２を成形することができる。
【００３２】
カット面データＤＴ５には使用するフック３の３Ｄデータが反映されているので、３ＤトリミングデータＤＴ６にもフック３の形状に応じた係合凹部５が形成され、したがって、３Ｄプリンタで生産された額装用３Ｄモデル本体２にも、その背面２ａにフック３の形状に応じたフック係合凹部５が形成されることになる。
【実施例３】
【００３３】
次に、額装用３Ｄモデル１を立てた状態に飾られる額ＦのバックボードＢに固定して額装する方法について図６に基づき説明する。
額装用３Ｄモデル１は、実施例２により説明したプログラムにより生成された３ＤトリミングデータＤＴ６を３Ｄプリンタ（図示せず）に出力して形成された額装用３Ｄモデル本体２と、予め形成されたフック３からなる。
【００３４】
額装用３Ｄモデル本体２の背面２ａにはフック係合凹部５が形成されており、このフック係合凹部５の内部形状は、フック３の３Ｄデータに基づいて形成されているので、両者は隙間なく嵌り合う形状に形成されている。
ここで、図６（ａ）に示すように、コ字状に折り曲げたワイヤ６の両端６ａ、６ｂをフック３の貫通孔７の正面側から挿通し、背面側３ａから突出させた状態で、フック３の外周面に接着剤を塗布して、額装用３Ｄモデル本体２の背面２ａに形成されたフック係合凹部５に挿入すると、図６（ｂ）に示すように、両者は隙間なく嵌り合って強固に接着固定される。
【００３５】
次いで、図６（ｂ）〜（ｃ）に示すように、ワイヤ６の両端６ａ、６ｂをバックボードＢに形成されたピンホール９、９に挿通して、額装用３Ｄモデル本体２の背面２ａをバックボードＢに隙間なく当接させた状態で、図６（ｄ）に示すように、ワイヤ６の両端６ａ、６ｂをバックボードＢの背面側で折り曲げる。
これにより、額装用３Ｄモデル１は額ＦのバックボードＢから飛び出すように躍動感にあふれた姿勢に固定することができ、しかも、額Ｆに固定されているので、机や飾り棚に置いて飾るだけでなく、壁面に掛けて飾ることもできる。
【００３６】
また、ワイヤ６を額装用３Ｄモデル本体２に直接刺し通すわけではないので、作品としての３Ｄモデル本体２を傷つけたり、正面側にワイヤ６が露出したりすることもない。また、３Ｄモデル本体２を額６に接着していないので、額Ｆへの着脱も可能であり、季節ごとに複数の３Ｄモデル１の展示物を順次交換することにより、一種類の額Ｆで何種類もの３Ｄモデル１を飾ることができる。
さらに、バックボードＢに二つのピンホール９、９を穿設するだけで３Ｄモデル１を取付固定することができるので、飾る部屋の内装などに併せて、自身の好きな額縁で飾ることができる。
【００３７】
このとき、重力によりバックボードＢとの間で垂直下向きの剪断力が作用しても、バックボードＢに固定されたフック３が、額装用３Ｄモデル本体２の背面２ａに形成されたフック係合凹部５に挿入されているので、額装用３Ｄモデル１が落下することがない。
【００３８】
また、フック３を中心として、額Ｆのバックボードから飛び出すように固定された３Ｄモデル１が前向きに回転しようとするモーメントが作用しても、フック係合凹部５及びこれと当接されるフック３の上面は、斜め上方に向かう傾斜面１０で形成されているので、モーメントにより回転しようとする力をその傾斜面１０で確実に支えることができ、したがって、額装用３Ｄモデル１が前向きに回転することもない。
【産業上の利用可能性】
【００３９】
本発明は、３Ｄプリンタなどで形成される３Ｄモデルを額装して壁面等に展示する用途に用いることができる。
【符号の説明】
【００４０】
１    額装用３Ｄモデル
Ｂ    バックボード
Ｄ    装飾淵
Ｆ    額
２    額装用３Ｄモデル本体
２ａ  背面
３    額装用フック
３ａ  フックの背面
５    フック係合凹部
６    ワイヤ
９    ピンホール
１０  傾斜面
【図１】
2016030056.tif 000003
【図２】
2016030056.tif 000004
【図３】
2016030056.tif 000005
【図４】
2016030056.tif 000006
【図５】
2016030056.tif 000007
【図６】
2016030056.tif 000008